【事件の表示】
　特願２００９−５４１２４４号「薬、特に吸入可能な薬を詰めたカプセル」拒絶査定不服審判事件〔平成２０年６月１９日国際公開、ＷＯ２００８／０７２９５６、平成２２年４月３０日国内公表、特表２０１０−５１２８３２号〕について、次のとおり審決する。
【結　論】
　本件審判の請求は、成り立たない。
【理　由】
Ｉ．手続の経緯
　本願は、平成１９年１２月１２日（パリ条約による優先権主張　平成１８年１２月１３日　オランダ国）を国際出願日とする出願であって、平成２４年７月１１日付けで拒絶理由が通知され、これに対して同年１０月１８日付けで意見書が提出されるとともに、同日付けで手続補正がなされ、平成２５年２月２８日付けで拒絶査定がなされたところ、同査定を不服として同年７月４日に拒絶査定不服審判の請求がなされたものである。 　
  
II．本願発明
　本願の請求項１に係る発明は、平成２４年１０月１８日付けの手続補正により補正された特許請求の範囲の請求項１に記載された事項により特定される、次のとおりのもの（以下、「本願発明」という。）である。
「チューブ状の本体（１０）およびチューブ状のキャップ（２０）の組立体であって、
　前記本体（１０）および前記キャップ（２０）は、それぞれ一端（１２，２２）が開口し、スナップ結合によって互いに結合することで、薬を詰めるためのカプセル（３０）を形成し、
　少なくとも一つの凹部（１３）が、前記本体（１０）の外面に設けられ、
　複数の固定突出部（２３）が、前記キャップ（２０）の内面で、前記キャップ（２０）の周面に渡って均等に、実質的に等しい長手位置に設けられ、固定スナップ結合を行うために、前記本体（１０）の外面の前記凹部（１３）にぴったり嵌り、
　前記キャップ（２０）の内面の前記固定突出部（２３）の最も内側の位置における前記固定突出部（２３）の内径は、最大でも、前記本体（１０）の外面の前記凹部（１３）の最も内側の位置における前記凹部（１３）の外径に等しく、
　少なくとも一つの保持突出部（２４）が、前記キャップ（２０）の内面で、前記固定突出部（２３）よりも前記キャップ（２０）の開口端側（２２）に近い位置に設けられ、分離可能なスナップ結合を行うために、前記本体（１０）の外面の前記凹部（１３）に分離可能に嵌り、
　前記保持突出部（２４）の最も内側の位置における前記保持突出部（２４）の内径は、前記固定突出部（２３）の最も内側の位置における前記固定突出部（２３）の内径より大きく、そして、前記本体（１０）の外面の前記凹部（１３）の最も内側の位置における前記凹部（１３）の外径より大きいことを特徴とする組立体。」 
　
III．引用例の記載事項 
１．特開昭６１−１６８３５７号公報 
　本願の優先権主張日前に頒布された刊行物であり、原査定の拒絶の理由に引用された特開昭６１−１６８３５７号公報（以下、「引用例」という。）には、図面と共に次の事項が記載されている。 
ア：「本発明は特別に設計された硬質殻カプセルを用いてカプセルを密封する方法に関する。
　硬質殻カプセルは浸漬成型技術を用いてゼラチンまたは他の親水性原料、好ましくはゼラチンから一般的に製造されている。これらのカプセルは入れ子式に接合可能な円筒形同軸キャップ部（キャップ）およびボディー部（ボディー）を有し、それぞれ側壁、開放端部および閉鎖端部を有しており、キャップおよびボディーは相互に接合可能に形成されている。これらのカプセルは通常係止手段を備えている。例えば、代表的な硬質殻ゼラチンカプセルは、キャップの内壁から内側に向かって延びている凸部手段とボディーの環状溝を接触合致させることにより係止されている。
　これらのカプセルは特に医薬品のような物質を正確に投与する容器として使用することが好ましく、薬学的に許容し得る程度のゼラチンまたは物理的及び化学的特性においてゼラチンに似た他の物質から製造することが好ましい。」（３頁左下欄２０行〜右下欄１８行）
　
イ：「本発明は、カプセルのボディー部およびキャップ部の重なり領域間に封止液を均一に分布し、次にこの液を室温で、または熱エネルギーを加えて乾燥させることにより、嵌合する際に重なり合う同軸状のキャップ部およびボディー部を有するカプセルを密封する方法において；キャップ部が環状凸部または環状凸部のように作用する配列を内面壁上に有するカプセルを用い；上記配列は凸部セグメントおよび／または突出部であることが好ましく；上記凸部または上記凸部のように作用する配列部からキャップ部の開口端部に向かって離隔され、かつ充分間隔をおいて、正確に同軸位置にキャップおよびボディーを保持する手段が配列されていることを特徴とするカプセルを密封する方法に特に関する。」（４頁右上欄８行〜左下欄２行）
　
ウ：「正確な同軸位置にキャップおよびボディーを保持する手段は、上記環状凸部のすぐそばに続いて設けられるものではなく、その作用を適切に表わすことができるように充分間隔をおいて離隔されている。これらの手段は正確な同軸位置にキャップおよびボディーを保持する環状凸部であってもよく、好ましくは凸部セグメントおよび／または突出部の配列であってもよい。
　最適の配列は環状にかつ円の形に、好ましくは対称的に配列された多数の突出部であり、好ましくは近接する突出部は相互に同じ距離だけ離隔されている。好ましい突出部の数は少なくとも３つである。
　突出部の深さはキャップ部の開放端部およびボディー部の開放端部が相互に容易に接合できるほどの寸法のものであり、上記突出部はボディー部の外側壁と接触し、接触時点においてわずかに押圧力を発生する。好ましくは４、５、６、７、８、９または１０個の突出部、さらに好ましくは６、７、８、９または１０個の突出部、最も好ましくは６または８個の突出部が設けられる。これら突出部は断面、直径、深さ等において種々の異なった形をとることができる。このような突出部の形状は公知である。これら突出部はすべて同じ形、とくに同じ深さを有することが好ましい、環状凸部を用いることも可能であり、この環状凸部は中断されていることが好ましい。
　上記したように好ましくはキャップの閉鎖端部付近の上方部分に配置される環状凸部と、正確な同軸位置にキャップおよびボディーを保持する手段との間の距離は重要である。同軸位置にキャップおよびボディーを保持する手段は、キャップの端部付近における凸部のすぐそばに配置されるべきではない、もちろんこの距離の実際の長さはカプセル特にキャップの大きさによって左右される。」（４頁左下欄１９行〜５頁左上欄１４行）
　
エ：「ボディー部は凸部であっても溝のないなめらかな状態であってもよい、キャップとボディーを実質的に変形することなく完全に係合するために、ボディー部はその外面上においてキャップの内面の凸部手段と合致する環状溝または溝の配列を有することが望ましい。
　カプセルが予備係合する場合、突出部はボディー部の溝手段と合致することが好ましい。寸法については当業者によって容易に選ぶことができる。」（５頁左下欄１１〜２０行）
　
オ：「キャップおよびボディーが正確な同軸位置にあるということは、キャップおよびボディーの重なり領域の水平断面に表われる２つの輪がどの高さにおいても同じ共通の中心点を有することを意味しており、これにより円形または長円形からのずれは最小限に減少される。」（６頁左下欄６〜１１行）
  　
カ：「第１ａ図、第１ｂ図および第１ｃ図に示されているカプセル１０はキャップ部１１およびボディー部１２を有し、両者は端部１３特に１４において閉鎖されている。キャップ１１は空気抜き孔によって中断されている円周凸部１５を有する。キャップは開口端部を有しており、この開口端部と凸部１５との間には４個の突起２４（第１ａ図）、６個の突起２４（第１ｂ図）または８個の突起２４（第１ｃ図）がある。突起２４は必ずしも全て同じ形状を有する必要はない。外壁１７および内壁１６を有するキャップ１１は第２図および第３図に詳細に示されている。キャップの内壁１６は、外壁１７上に設けられているくびれ部分１５に対応する凸部１９を有している。凸部１９は内壁上で有角の断面を有しており、かつこの内壁は頂点２２で交わる斜面部２０および２１を有している。
　閉鎖端部１３は丸味を帯びているかまたは半球形であることが好ましいが、この形状は厳密なものではない。所望ならばキャップ端部は他の形状をとることが可能である。開口端部１８からショルダーラインであるライン２３まで延びているキャップの内壁１６は、凸部１９および凹部２４を除いて、１ｃｍあたり約０．０１ｃｍほどのわずかにせまくなっている直径テーパを有している。
　第２図においてキャップ部およびボディー部は完全に係合した状態が示されているが第３図におけるキャップ部およびボディー部は部分的に閉鎖した状態、すなわち予備的に係合した状態で示されており、ボディー部の開口端部は凸部１９の主要斜面部２０に向かって延びている。ボディーは凸部１９と合致する溝１９ａを有する。溝１９ａは頂点２２ａで合致する主斜面部２０ａと従斜面部２１ａを有している。第２図において明示されているように、キャップおよびボディーは部分的に閉鎖した予備係合状態、すなわち半係合状態から完全に閉鎖した係合状態に相互に圧着されている。ここにおいてボディーの端部におけるくびれ部分はキャップと合致し、堅固な物理的封止を与えている。この係合状態において、凸部１９およびボディーの溝１９ａは摩擦による嵌合と異なり、かみ合い係合すなわち物理的係合状態にあり、各斜面および頂点は緊密に合致している。この位置において、ボディーの開口端部はキャップ内においてショルダーライン２３付近、好ましくはショルダーライン２３を少し超えた位置まで前進している。キャップと同様にボディーも同じ程度で、開口端部から閉鎖端部に向かってテーパーが設けられている。キャップのテーパーおよび大きさに対するボディーのテーパーおよび大きさも、第３図に示されている予備係合位置において比較的変形の少ない係合状態を与えるように設定されている。キャップおよびボディーの隣接する壁面間の係合は、好都合なことに空気の通路を形成している。凹部２４の領域内における予備嵌合は、摩擦的嵌合と異なり本質的に変形のない物理的嵌合であることが好ましい。」（７頁右下欄４行〜８頁右上欄１８行）
　
キ：「本発明のカプセルは粉末または液体のような任意の有用な形で食料品、医薬品、化学物質、染料、香辛料、混合肥料、種子、化粧料および農作物ならびに様々な形および大きさのマトリックスを特に正確に投与する容器として使用することができ、上記マトリックスは食料品、医薬品、化学物質、染料、香辛料、混合肥料、種子、化粧料、および農業物質用のマトリックスである。」（８頁左下欄５〜１２行）
　
ク：「第２図は完全に係合された形の好ましい具体例の係合領域を示す（第１ａ図の２−２中心線に沿う）側断面図である。
　第３図は第２図のカプセルに対応するが、予備係合状態を示している。」（９頁右上欄３〜７行）
　
ケ：クに記載されているように、第２図は第１ａ図のキャップ部１１とボディー部１２とが完全に係合した状態を示し、第３図は第１ａ図のキャップ部１１とボディー部１２との予備係合状態を示しており（第２図、第３図参照）、さらに、カに「キャップの内壁１６は、外壁１７上に設けられているくびれ部分１５に対応する凸部１９を有している。」と記載されているように、凸部１９はくびれ部分１５に対応してキャップ部１１の内面に存在することを考慮すれば、第１ａ図、第２図、第３図には、次の態様のカプセルが示されているといえる。
「少なくとも一つの溝１９ａが、ボディー部１２の外面に設けられ、
　複数の凸部１９が、前記キャップ部１１の内面で、前記キャップ部１１の周面に渡って均等に、実質的に等しい長手位置に設けられ、前記キャップ部１１と前記ボディー部１２とが完全に係合した状態の時、前記複数の凸部１９は前記ボディー部１２の外面の前記溝１９ａに嵌合し、
　複数の突起２４が、前記キャップ部１１の内面で、前記凸部１９よりも前記キャップ部１１の開口端側に近い位置に設けられ、前記キャップ部１１と前記ボディー部１２とが予備係合状態の時、前記複数の突起２４は前記ボディー部１２の外面の前記溝１９ａに嵌合するとともに、前記キャップ部１１と前記ボディー部１２とを予備係合状態から完全に係合した状態に移行させる際に前記突起２４と前記溝１９ａとの嵌合が分離され得るカプセル１０。」
ａ：アの「カプセルは入れ子式に接合可能な円筒形同軸キャップ部（キャップ）およびボディー部（ボディー）を有し、それぞれ側壁、開放端部および閉鎖端部を有しており、キャップおよびボディーは相互に接合可能に形成されている。これらのカプセルは通常係止手段を備えている。例えば、代表的な硬質殻ゼラチンカプセルは、キャップの内壁から内側に向かって延びている凸部手段とボディーの環状溝を接触合致させることにより係止されている。これらのカプセルは特に医薬品のような物質を正確に投与する容器として使用することが好ましく」との記載、イの「本発明は、カプセルのボディー部およびキャップ部の重なり領域間に封止液を均一に分布し、次にこの液を室温で、または熱エネルギーを加えて乾燥させることにより、嵌合する際に重なり合う同軸状のキャップ部およびボディー部を有するカプセルを密封する方法」との記載及びキの「本発明のカプセルは粉末または液体のような任意の有用な形で・・・医薬品・・・のマトリックスを特に正確に投与する容器として使用する」との記載からして、引用例には、次の態様の組立体について記載されているといえる。
「円筒形のボディー部および円筒形のキャップ部の組立体であって、
　前記ボディー部および前記キャップ部は、それぞれ一端が開口し、前記キャップ部の内壁から内側に向かって延びている凸部手段と前記ボディー部の環状溝を接触合致させて係止することによって互いに結合し、さらに前記ボディー部および前記キャップ部の重なり領域内に封止液を分布するとともに、乾燥させることで、薬を詰めるためのカプセルを形成する組立体。」
　
ｂ：引用例の記載における「予備的に係合した状態」、「予備係合状態」が「半係合状態」を意味し、「予備嵌合」が「半係合状態」における嵌合を意味することが明らかであるから、ａの組立体の態様、ケの図示内容びカの「第２図においてキャップ部およびボディー部は完全に係合した状態が示されているが第３図におけるキャップ部およびボディー部は部分的に閉鎖した状態、すなわち予備的に係合した状態で示されており、・・・ボディーは凸部１９と合致する溝１９ａを有する。・・・第２図において明示されているように、キャップおよびボディーは部分的に閉鎖した予備係合状態、すなわち半係合状態から完全に閉鎖した係合状態に相互に圧着されている。・・・この係合状態において、凸部１９およびボディーの溝１９ａは摩擦による嵌合と異なり、かみ合い係合すなわち物理的係合状態にあり、各斜面および頂点は緊密に合致している。・・・凹部２４の領域内における予備嵌合は、摩擦的嵌合と異なり本質的に変形のない物理的嵌合であることが好ましい。」との記載を総合すると、引用例には、次の発明（以下、「引用発明」という。）が記載されている。
　
「円筒形のボディー部１２および円筒形のキャップ部１１の組立体であって、
　前記ボディー部１２および前記キャップ部１１は、それぞれ一端が開口し、前記キャップ部１１の内壁から内側に向かって延びている凸部手段と前記ボディー部１２の環状溝を接触合致させて係止することによって互いに結合し、さらに前記ボディー部１２および前記キャップ部１１の重なり領域内に封止液を分布するとともに、乾燥させることで、薬を詰めるためのカプセル１０を形成し、
　少なくとも一つの溝１９ａが、前記ボディー部１２の外面に設けられ、
　前記キャップ部１１と前記ボディー部１２とを完全に係合した状態に圧着するための複数の凸部１９が、前記キャップ部１１の内面で、前記キャップ部１１の周面に渡って均等に、実質的に等しい長手位置に設けられ、前記溝１９ａとかみ合い係合し、前記溝１９ａに緊密に合致して前記キャップ部１１と前記ボディー部１２とを完全に係合した状態に圧着するために、前記ボディー部１２の外面の前記溝１９ａに嵌合し、
　前記キャップ部１１と前記ボディー部１２とを半係合させるための複数の突起２４が、前記キャップ部１１の内面で、前記凸部１９よりも前記キャップ部１１の開口端側に近い位置に設けられ、前記キャップ部１１と前記ボディー部１２とを半係合状態から完全に係合した状態に移行させる際に分離され得る本質的に変形のない物理的嵌合を行うために、分離され得るように前記ボディー部１２の外面の前記溝１９ａに嵌る組立体。」
　
IV．対比
　引用発明の「円筒形のボディー部１２」、「円筒形のキャップ部１１」、「組立体」、「カプセル１０」は、本願発明の「チューブ状の本体（１０）」、「チューブ状のキャップ（２０）」、「組立体」、「カプセル３０」に、それぞれ相当する。
　そして、引用発明の「前記キャップ部１１の内壁から内側に向かって延びている凸部手段と前記ボディー部１２の環状溝を接触合致させることにより係止すること」は本願発明の「スナップ結合」に相当するから、引用発明の「円筒形のボディー部１２および円筒形のキャップ部１１の組立体であって、前記ボディー部１２および前記キャップ部１１は、それぞれ一端が開口し、前記キャップ部１１の内壁から内側に向かって延びている凸部手段と前記ボディー部１２の環状溝を接触合致させることにより係止することによって互いに結合」することは、本願発明の「チューブ状の本体（１０）およびチューブ状のキャップ（２０）の組立体であって、前記本体（１０）および前記キャップ（２０）は、それぞれ一端（１２，２２）が開口し、スナップ結合によって互いに結合すること」に相当する。
　そうすると、引用発明の「円筒形のボディー部１２および円筒形のキャップ部１１の組立体であって、前記ボディー部１２および前記キャップ部１１は、それぞれ一端が開口し、前記キャップ部１１の内壁から内側に向かって延びている凸部手段と前記ボディー部１２の環状溝を接触合致させて係止することによって互いに結合し、さらに前記ボディー部１２および前記キャップ部１１の重なり領域内に封止液を分布するとともに、乾燥させることで、薬を詰めるためのカプセル１０を形成」することは、本願発明の「チューブ状の本体（１０）およびチューブ状のキャップ（２０）の組立体であって、前記本体（１０）および前記キャップ（２０）は、それぞれ一端（１２，２２）が開口し、スナップ結合によって互いに結合する」構成を「さらに前記ボディー部１２および前記キャップ部１１の重なり領域内に封止液を分布するとともに、乾燥させることで、薬を詰めるためのカプセル１０を形成」する点で限定するものであるから、本願発明の上記構成に含まれるといえる。
　
　引用発明の「溝１９ａ」は本願発明の「凹部（１３）」に相当する。
　そして、引用発明の「前記キャップ部１１と前記ボディー部１２とを完全に係合した状態に圧着する」ことは本願発明の「固定」に相当するから、引用発明の「前記キャップ部１１と前記ボディー部１２とを完全に係合した状態に圧着するための複数の凸部１９」は本願発明の「複数の固定突出部（２３）」に相当し、引用発明の「前記溝１９ａとかみ合い係合し、前記溝１９ａ緊密に合致して前記キャップ部１１と前記ボディー部１２とを完全に係合した状態に圧着する」ことは本願発明の「固定スナップ結合を行う」ことに相当する。
　さらに、技術常識からして、引用発明の組立体において、キャップ部１１の内面に設けられた凸部１９の内径がボディー部１２の外面に設けられた溝１９ａの外径より小さければ凸部１９が溝１９ａに食い込み、その結果凸部１９が溝１９ａにぴったり嵌るとともに、凸部１９が溝１９ａとかみ合い係合し、溝１９ａに緊密に合致してキャップ部１１とボディー部１２とを圧着することになるのは明らかである。
　そうすると、引用発明の「前記キャップ部１１と前記ボディー部１２とを完全に係合した状態に圧着するための複数の凸部１９が、・・・前記溝１９ａとかみ合い係合し、前記溝１９ａに緊密に合致して前記キャップ部１１と前記ボディー部１２とを完全に係合した状態に圧着するために、前記ボディー部１２の外面の前記溝１９ａに嵌合」する構成は、「前記キャップ部１１と前記ボディー部１２とを完全に係合した状態に圧着するための複数の凸部１９が、前記溝１９ａとかみ合い係合し、前記溝１９ａに緊密に合致して前記キャップ部１１と前記ボディー部１２とを完全に係合した状態に圧着するために、前記ボディー部１２の外面の前記溝１９ａにぴったり嵌り、前記キャップ部１１の内面の前記複数の凸部１９の最も内側の位置における前記凸部１９の内径は、最大でも、前記ボディー部１２の外面の前記溝１９ａの最も内側の位置における前記溝１９ａの外径に等しい」構成を実質的に意味するといえるから、本願発明の「複数の固定突出部（２３）が、・・・固定スナップ結合を行うために、前記本体（１０）の外面の前記凹部（１３）にぴったり嵌り、前記キャップ（２０）の内面の前記固定突出部（２３）の最も内側の位置における前記固定突出部（２３）の内径は、最大でも、前記本体（１０）の外面の前記凹部（１３）の最も内側の位置における前記凹部（１３）の外径に等し」い構成に相当する。
　
　引用発明の「前記キャップ部１１と前記ボディー部１２とを半係合させる」ことは本願発明の「保持」に相当するから、引用発明の「前記キャップ部１１と前記ボディー部１２とを半係合させるための複数の突起２４」は本願発明の「少なくとも一つの保持突出部（２４）」に相当する。
　そして、引用発明の「前記キャップ部１１と前記ボディー部１２とを半係合状態から完全に係合した状態に移行させる際に分離され得る本質的に変形のない物理的嵌合」は、本願発明の「分離可能なスナップ結合」に相当し、引用発明の「分離され得るように前記ボディ部１２の外面の前記溝１９ａに嵌る」ことは本願発明の「前記本体（１０）の外面の前記凹部（１３）に分離可能に嵌」ることに相当する。
　そうすると、引用発明の「前記キャップ部１１と前記ボディー部１２とを半係合させるための複数の突起２４が、前記キャップ部１１の内面で、前記凸部１９よりも前記キャップ部１１の開口端側に近い位置に設けられ、前記キャップ部１１と前記ボディー部１２とを半係合状態から完全に係合した状態に移行させる際に分離され得る本質的に変形のない物理的嵌合を行うために、分離され得るように前記ボディー部１２の外面の前記溝１９ａに嵌る」ことは、本願発明の「少なくとも一つの保持突出部（２４）が、前記キャップ（２０）の内面で、前記固定突出部（２３）よりも前記キャップ（２０）の開口端側（２２）に近い位置に設けられ、分離可能なスナップ結合を行うために、前記本体（１０）の外面の前記凹部（１３）に分離可能に嵌」ることに相当する。
　
　引用発明の凸部１９と溝１９ａとの間の嵌合は、凸部１９が溝１９ａに食い込んで「前記溝１９ａとかみ合い係合し、前記溝１９ａに緊密に合致して前記キャップ部１１と前記ボディー部１２とを完全に係合した状態に圧着」するものであることは上記のとおりである。
　これに対して、引用発明の突起２４と溝１９ａとの間の嵌合は、「前記キャップ部１１と前記ボディー部１２とを半係合状態から完全に係合した状態に移行させる際に分離され得る本質的に変形のない物理的嵌合」であって、突起２４と溝１９ａとが本質的に変形しない程度に嵌合するものであるといえる。
　この場合、技術常識からして、引用発明の組立体において、キャップ部１１の内面に設けられた凸部１９の内径がボディー部１２の外面に設けられた溝１９ａの外径より小さければ凸部１９が溝１９ａに食い込み、その結果凸部１９が溝１９ａとかみ合い係合することになるのが明らかなことからすれば、溝１９ａとかみ合い係合する凸部１９の内径より、溝１９ａに本質的に変形しない程度に嵌合する、つまり溝１９ａとかみ合い係合しない突起２４の内径が大きいと解される。
　そうすると、引用発明の「前記キャップ部１１と前記ボディー部１２とを完全に係合した状態に圧着するための複数の凸部１９が、・・・前記溝１９ａとかみ合い係合し、前記溝１９ａに緊密に合致して前記キャップ部１１と前記ボディー部１２とを完全に係合した状態に圧着するために、前記溝１９ａにぴったり嵌り、前記キャップ部１１と前記ボディー部１２とを半係合させるための複数の突起２４が、・・・前記キャップ部１１と前記ボディー部１２とを半係合状態から完全に係合した状態に移行させる際に分離され得る本質的に変形のない物理的嵌合を行うために、分離され得るように前記ボディ部１２の外面の前記溝１９ａに嵌る」構成は、「前記突起２４の最も内側の位置における前記突起２４の内径は、前記凸部１９の最も内側の位置における前記部１９の内径より大き」い構成をも実質的に意味するといえるから、本願発明の「前記保持突出部（２４）の最も内側の位置における前記保持突出部（２４）の内径は、前記固定突出部（２３）の最も内側の位置における前記固定突出部（２３）の内径より大き」い構成に相当する。
　
　以上によれば、本願発明と引用発明とは次の点で一致する。
「チューブ状の本体（１０）およびチューブ状のキャップ（２０）の組立体であって、
　前記本体（１０）および前記キャップ（２０）は、それぞれ一端（１２，２２）が開口し、スナップ結合によって互いに結合することで、薬を詰めるためのカプセル（３０）を形成し、
　少なくとも一つの凹部（１３）が、前記本体（１０）の外面に設けられ、
　複数の固定突出部（２３）が、前記キャップ（２０）の内面で、前記キャップ（２０）の周面に渡って均等に、実質的に等しい長手位置に設けられ、固定スナップ結合を行うために、前記本体（１０）の外面の前記凹部（１３）にぴったり嵌り、
　前記キャップ（２０）の内面の前記固定突出部（２３）の最も内側の位置における前記固定突出部（２３）の内径は、最大でも、前記本体（１０）の外面の前記凹部（１３）の最も内側の位置における前記凹部（１３）の外径に等しく、
　少なくとも一つの保持突出部（２４）が、前記キャップ（２０）の内面で、前記固定突出部（２３）よりも前記キャップ（２０）の開口端側（２２）に近い位置に設けられ、分離可能なスナップ結合を行うために、前記本体（１０）の外面の前記凹部（１３）に分離可能に嵌り、
　前記保持突出部（２４）の最も内側の位置における前記保持突出部（２４）の内径は、前記固定突出部（２３）の最も内側の位置における前記固定突出部（２３）の内径より大きい組立体。」
　
　そして、両者は次の点で相違する。
（相違点）
　本願発明では、「前記保持突出部（２４）の最も内側の位置における前記保持突出部（２４）の内径は、前記本体（１０）の外面の前記凹部（１３）の最も内側の位置における前記凹部（１３）の外径より大きい」のに対して、
　引用発明では、キャップ部１１とボディー部１２とを半係合させるための複数の突起２４の最も内側の位置における前記突起２４の内径は、前記ボディー部１２の外面の溝１９ａの最も内側の位置における前記溝１９ａの外径より大きいか否か不明である点。
  　
V．判断
（１）引用発明におけるキャップ部１１の内面に設けられた突起２４とボディー部１２の外面に設けられた溝１９ａとの間の「前記キャップ部１１と前記ボディー部１２とを半係合状態から完全に係合した状態に移行させる際に分離され得る本質的に変形のない物理的嵌合」が、突起２４と溝１９ａとが本質的に変形しない程度に嵌合するものであることは、前記「IV．対比」において説示したとおりである。
　そして、引用発明において、突起２４と溝１９ａとが本質的に変形しない程度に嵌合するものとするために、突起２４と溝１９ａとがかみ合い係合しないように両者の間に隙間を設け、つまり突起２４の内径を溝１９ａの外径よりも大きくすることは当業者が容易に想到し得る程度の事項である。
　
　なお、仮に本願発明における「分離」が本体（１０）とキャップ（２０）とを離すことを意味すると解しても、引用発明のキャップ部１１の突起２４とボディー部１２の溝１９ａとは「前記キャップ部１１と前記ボディー部１２とを半係合状態から完全に係合した状態に移行させる際に分離され得る本質的に変形のない物理的嵌合を行うために、分離され得るように前記ボディー部１２の外面の前記溝１９ａに嵌る」ものであることからすれば、引用発明において、キャップ部１１の突起２４とボディー部１２の溝１９ａとの「分離され得る本質的に変形のない物理的嵌合」の結合力を、キャップ部１１とボディー部１２とを離すことができるようなものとすることにも格別の困難性は見出せない。
　
（２）請求人は、審判請求書（「（ii）本願発明と引用文献１との対比」の項）において次のように主張する。
ａ．「仮に、引用文献１の図１〜図３のカプセルにおいて、突起２４の内径を溝１９ａの外径より大きくすれば、突起２４が溝１９ａにしっかりと接触しないので、引用文献１の図１ｄ（Ａ図）で示されるように、突起２４と溝１９ａとの間に隙間ができて、引用文献１で必須の構成とされている正確な同軸位置は得られなくなります。このように、引用文献１のカプセルにおいて、突起２４の内径を溝１９ａの外径より大きくすることは、引用文献１の教示に反します。」
ｂ．「引用文献１の図２及び図３からは、突起２４の内径及び凸部１９の内径が同じであることがはっきりとわかります。仮に、突起２４及び凸部１９が異なる内径を有するのであれば、それが明確になるよう図面が描かれるはずです。さらに、引用文献１の明細書においても、これらの内径が異なると記載されていない以上、これらの内径は実際には同じであるとするのが妥当です。そして、引用文献１の課題は、上述の通り本願発明の課題と全く異なっており、引用文献１には突起２４及び凸部１９の内径を相対的に変化させることの示唆はありません。さらに、これらの内径を相対的に変化させることは、先に記載したように、キャップ及びボディーを正確な同軸位置に保持しなければならない引用文献１の教示に反します。」
　
　請求人の上記主張について検討する。
ａ．引用例における、キャップ部１１及びボディー部１２を正確な同軸位置に保持することについての「本発明は、・・・嵌合する際に重なり合う同軸状のキャップ部およびボディー部を有するカプセルを密封する方法において；・・・上記凸部または上記凸部のように作用する配列部からキャップ部の開口端部に向かって離隔され、かつ充分間隔をおいて、正確に同軸位置にキャップおよびボディーを保持する手段が配列されていることを特徴とするカプセルを密封する方法に特に関する。」（記載事項イ）との記載、「正確な同軸位置にキャップおよびボディーを保持する手段は、上記環状凸部のすぐそばに続いて設けられるものではなく、その作用を適切に表わすことができるように充分間隔をおいて離隔されている。・・・上記したように好ましくはキャップの閉鎖端部付近の上方部分に配置される環状凸部と、正確な同軸位置にキャップおよびボディーを保持する手段との間の距離は重要である。」（記載事項ウ）との記載、「キャップおよびボディーが正確な同軸位置にあるということは、キャップおよびボディーの重なり領域の水平断面に表われる２つの輪がどの高さにおいても同じ共通の中心点を有することを意味しており、これにより円形または長円形からのずれは最小限に減少される。」（記載事項オ）との記載からして、キャップ部１１及びボディー部１２を正確な同軸位置に保持するために重要なのは、凸部１９からキャップ部の開口端部に向かって充分間隔をおいて突起２４を配列することと解され、請求人が主張するように、「突起２４が溝１９ａにしっかりと接触」することであると解すべき根拠は見出せない。
　むしろ、引用例における、突起２４についての「突出部の深さはキャップ部の開放端部およびボディー部の開放端部が相互に容易に接合できるほどの寸法のものであり、上記突出部はボディー部の外側壁と接触し、接触時点においてわずかに押圧力を発生する。」（記載事項ウ）との記載、突起２４と溝１９ａとの嵌合についての「凹部２４の領域内における予備嵌合は、摩擦的嵌合と異なり本質的に変形のない物理的嵌合であることが好ましい。」（記載事項カ）との記載からすれば、引用発明において、キャップ部１１及びボディー部１２を正確な同軸位置に保持するためには、「前記キャップ部１１と前記ボディー部１２とを半係合状態から完全に係合した状態に移行させる際に分離され得る本質的に変形のない物理的嵌合」で足りると解される。
ｂ．引用発明の組立体において、突起２４の内径が凸部１９の内径より大きいと解されることは、前記「IV．対比」において説示したとおりである。
　
（３）本願発明の効果は、引用発明から当業者が予測し得た範囲内のものであって、格別のものとはいえない。
 
（４）以上のとおり、本願発明は、引用発明に基いて当業者が容易に発明をすることができたものである。
  
VI．むすび
　したがって、本願発明は、引用発明に基いて当業者が容易に発明をすることができたものであるから、特許法第２９条第２項の規定により、特許を受けることができない。 
　
　よって、結論のとおり審決する。